(57)【要約】【課題】犬などを家の中に置きっ放しにして外出する時にも火災等の心配がなく安全に使用でき、しかも維持コストがかからない実用的なペット用の暖房器を提供する。【解決手段】湯たんぽ３を収容するように形成された箱形籠状の湯たんぽ収容ケース２と、湯たんぽ収容ケース２内に出し入れ自在に収容される湯たんぽ３と、湯たんぽ収容ケース２を被包する袋状カバー４とからなり、湯たんぽ３を収容し、袋状カバー４によって被包した湯たんぽ収容ケース２の上面側にペットＰを座らせて暖をとらせるようにしてなるペット用暖房器。【選択図】図４
0003105551.tif 000002
【実用新案登録請求の範囲】
【請求項１】
湯たんぽを収容するように形成された箱形籠状の湯たんぽ収容ケースと、湯たんぽ収容ケース内に出し入れ自在に収容される湯たんぽと、湯たんぽ収容ケースを被包する袋状カバーとからなり、湯たんぽを収容し、袋状カバーによって被包した湯たんぽ収容ケースの上面側にペットを座らせて暖をとらせるようにしたペット用暖房器。
【請求項２】
湯たんぽ収容ケースは、上面側が開口するように形成されたケース本体と、ケース本体の上面側開口部を開閉するようにケース本体に枢着された蓋体とからなる請求項１に記載のペット用暖房器。
【請求項３】
袋状カバーは、ケース本体の外周面側及び底面側を被う本体カバー部と、ケース本体を閉蓋する蓋体を被う蓋体カバー部とからなり、本体カバー部と蓋体カバー部とは、スライドファスナーによって開閉自在に接合されるようになっている請求項２に記載のペット用暖房器。
【請求項４】
袋状カバーの蓋体カバー部にはその裏側に、消臭シート材が取り外し自在に取り付けられている請求項３に記載のペット用暖房器。
【考案の詳細な説明】
【技術分野】
【０００１】
本考案は、犬や猫などのペットのための暖房器に関するものである。
【背景技術】
【０００２】
飼主がペットとして飼っている犬を家の中に置きっ放しにしたまま外出するような時、冬場であれば室内も寒いため暖房を必要とするが、電気やガス等の各種ストーブをつけたままにしておくのでは火災の心配があるので、ストーブを切って外出しなければならず、そうすると犬に寒い思いをさせることになり、飼主にとって非常に辛いものである。
【考案の開示】
【考案が解決しようとする課題】
【０００３】
然るに、従来は、犬などのペット用の暖房器として、安全で実用的なものがなかった。そこで、本考案は、犬などを家の中に置きっ放しにして外出する時にも火災等の心配がなく安全に使用でき、しかも維持コストがかからない実用的なペット用の暖房器を提供することを目的とする。
【課題を解決するための手段】
【０００４】
上記課題を解決するための手段を、後述する実施形態の参照符号を付して説明すると、請求項１に係る考案のペット用暖房器は、湯たんぽ３を収容するように形成された箱形籠状の湯たんぽ収容ケース２と、湯たんぽ収容ケース２内に出し入れ自在に収容される湯たんぽ３と、湯たんぽ収容ケース２を被包する袋状カバー４とからなり、湯たんぽ３を収容し、袋状カバー４によって被包した湯たんぽ収容ケース２の上面側にペットＰを座らせて暖をとらせるようにしたことを特徴とする。
【０００５】
請求項２は、請求項１に記載のペット用暖房器において、湯たんぽ収容ケース２は、上面側が開口するように形成されたケース本体５と、ケース本体５の上面側開口部を開閉するようにケース本体５に枢着された蓋体６とからなることを特徴とする。
【０００６】
請求項３は、請求項２に記載のペット用暖房器において、袋状カバー４は、ケース本体５の外周面側及び底面側を被う本体カバー部９と、ケース本体５を閉蓋する蓋体６を被う蓋体カバー部１０とからなり、本体カバー部９と蓋体カバー部１０とは、スライドファスナー１１によって開閉自在に接合されるようになっていることを特徴とする。
【０００７】
請求項４は、請求項３に記載のペット用暖房器において、袋状カバー４の蓋体カバー部１０にはその裏側に、消臭シート材１５が取り外し自在に取り付けられていることを特徴とする。
【考案の効果】
【０００８】
上記解決手段による発明の効果を、後述する実施形態の参照符号を付して説明すると、請求項１に係る考案のペット用暖房器１は、熱源が湯たんぽ３であって、この湯たんぽ３は湯たんぽ収容ケース２の中に収容し、しかも収容ケース２を袋状カバー４で被包しているから、ペットＰが直接湯たんぽ３に触れたり、湯たんぽ３の口を開けるようなおそれがなく、また石油ストーブやガスストーブや電気ストーブのように火災を起こすおそれも全くなく、使用上きわめて安全である。従って、例えば冬の寒い日に飼主がペットＰを家の中に置きっ放しにしたまま外出しても、火災などの心配もなく、犬Ｐに暖をとらせることができる。また、熱源が湯たんぽ３であるため、石油ストーブ、ガスストーブ、電気ストーブなどのようにコストがかからず、きわめて経済的で実用的な暖房器と言える。また、湯たんぽ収容ケース２を袋状カバー４で被包し、その上に犬Ｐを座らせるようにするため、犬Ｐも座り易くなり、またその座り心地も良い上に、外観の体裁も良く、保管も容易となる。
【０００９】
請求項２に係る考案によれば、湯たんぽ収容ケース２は、上面側が開口するように形成されたケース本体５と、ケース本体５の上面側開口部を開閉するようにケース本体５に枢着された蓋体６とからなるため、湯たんぽ３の出し入れが容易となり、開閉操作も容易となる。
【００１０】
請求項３に係る考案によれば、袋状カバー４は、ケース本体５の外周面側及び底面側を被う本体カバー部９と、ケース本体５を閉蓋する蓋体６を被う蓋体カバー部１０とからなるもので、本体カバー部９と蓋体カバー部１０とは、スライドファスナー１１により開閉自在に接合されるから、袋状カバー４の開閉操作が簡単で、湯たんぽ収容ケース２からの湯たんぽ３の出し入れ作業が容易となる。また湯たんぽ３の出し入れを行う際には、本体カバー部９は湯たんぽ収容ケース２のケース本体５から外さず、ケース本体５を被包したままにしておき、蓋体カバー部１０を蓋体６から離脱させるだけでよいから、湯たんぽ３の出し入れ作業が一層容易となる。
【００１１】
請求項４に係る考案によれば、袋状カバー４の蓋体カバー部１０には裏側に消臭シート材１５が取り外し自在に取り付けてあるから、この消臭シート材１５によって、蓋体カバー部１０についた悪臭を吸収除去でき、また必要に応じて消臭シート材１５を新しいものと交換することができる。
【考案を実施するための最良の形態】
【００１２】
以下に本考案の好適実施形態を図面に基づいて説明すると、図１は本考案に係るペット用暖房器１の使用状態を示す外観斜視図、図２の(a) は暖房器１の湯たんぽ収容ケース２を示す斜視図、(b) は湯たんぽ３の外観斜視図であり、図３は袋状カバー４の斜視図、図４は暖房器１全体の外観斜視図である。これらの図面を参照して、ペット用暖房器１は、箱形籠状の湯たんぽ収容ケース２と、この湯たんぽ３ース内に出し入れ自在に収容される湯たんぽ３と、湯たんぽ収容ケース２を被包する袋状カバー４とからなるもので、使用に際して、湯たんぽ３を収容し、袋状カバー４によって被包した湯たんぽ収容ケース２の上面側に、図１に示すようにペットとしての犬Ｐを座らせて、暖をとらせるようにしたものである。
【００１３】
上記ペット用暖房器１の構造についてさらに詳しく説明すると、湯たんぽ収容ケース２は、上面側が開口するように番線などの金属線材を格子組して略断面コ字状に形成されたケース本体５と、このケース本体５と同様に金属線材を格子組して平面状に形成され、ケース本体５の上面側開口部を開閉するようにケース本体５の一側端部に枢着された蓋体６とからなるもので、ケース本体５に蓋体６を閉じ合わせた状態で箱形籠状となる。ケース本体５の内底部には、図２に示すように一対の位置決め部材１７，１７が設けてある。
【００１４】
湯たんぽ３は、図２に示すように、金属板によって、上面側が波形状で底面側が平坦な形状の扁平玉子形に形成されたもので、湯たんぽ収容ケース２のケース本体５内に十分な余裕をもって収容されるようになっている。
【００１５】
蓋体６の一側端部にはその両端側に、図２、図４及び図５の(d) に示すように、略リング状の枢着部材７，７が固着されていて、両リング状枢着部材７，７がケース本体５の一側端部に取り付けられ、これにより蓋体６は、ケース本体５に対し枢着されて、図２に示すような開放姿勢と図４に示すような閉鎖姿勢との間で開閉できるようになっている。
【００１６】
また蓋体６の他端端部にはその両端側に、ロック片８，８が取り付けられていて、閉鎖姿勢でケース本体５にロックされるようになっている。このロック片８は、図５の(b) 及び(c) に示すように、番線などの金属線材を正面視略Ｕ字状で且つ側面視円弧状に形成してなるもので、閉鎖位置において金属線材の弾性変形を利用してケース本体５の一側端部にスナップ式に係止されてロックされる。
【００１７】
袋状カバー４は、湯たんぽ収容ケース２のケース本体５の外周面５ａ（図２及び図５の(b) 参照）側及び底面５ｂ（図２及び図５の(b) 参照）側を被う本体カバー部９と、この本体カバー部９に連設され、ケース本体５を閉蓋する蓋体６を被う蓋体カバー部１０とからなり、本体カバー部９と蓋体カバー部１０とは、スライドファスナー１１によって開閉自在に接合されるようになっている（図１参照）。
【００１８】
図５の(a) に示すように、本体カバー部９は、夫々布製の表地９ａと裏地９ｂとからなるもので、これら表地９ａ及び裏地９ｂの内周縁部がスライドファスナー１１の一方のテープ１２Ａとともに縫合され、このテープ１２Ａには務歯１３Ａが形成されており、また蓋体カバー部１０は、夫々布製の表地１０ａと裏地１０ｂとそれらの間に介挿された合成樹脂の発泡体からなる芯材１０ｃとからなるもので、表地１０ａ及び裏地１０ｂの内周縁部がスライドファスナー１１の他方のテープ１２Ｂと共に縫合され、このテープ１２Ｂには務歯１３Ｂが形成されている。しかして、本体カバー部９側のテープ１２Ａに形成された務歯１３Ａと蓋体カバー部１０のテープ１２Ｂに形成された務歯１３Ｂとがスライダー１４（図３参照）により噛合して、本体カバー部９と蓋体カバー部１０とが開閉自在に接合される。
【００１９】
また、袋状カバー４の蓋体カバー部１０にはその裏側に、消臭シート材１５が取り外し自在に取り付けられている。即ち、図３、図４及び図５から分かるように、本体カバー部９の裏地９ｂにはその全面に亘り消臭シート材挿入用のポケット１６が形成されていて、このポケット１６に、例えば竹炭を主成分とする消臭シート材１５が出し入れできるように挿入されている。
【００２０】
尚、袋状カバー４は汚れ易いので、洗濯のし易い布生地で形成されるのがよい。また、この実施形態では、袋状カバー４の蓋体カバー部１０を本体カバー部９と一体的に連設しているが、最も汚れ易い蓋体カバー部１０を本体カバー部９と切り離しできるように別体に形成してもよく、そうすれば蓋体カバー部１０のみを洗濯することができる。
【００２１】
また、この実施形態では、湯たんぽ収容ケース２を金属線材による金属製としたが、金属板材などによって箱形籠状に形成してもよく、また金属材によらず、プラスチック材や木材などによって箱形籠状に形成することもできる。何れにしても、湯たんぽ収容ケース２は、体重の重い犬などがケース２の上に座っても変形しないような丈夫な材料で形成されたものであればよい。
【００２２】
上記のように構成されるペット用暖房器１の使用にあたっては、先ず、熱湯の入った湯たんぽ３を湯たんぽ収容ケース２のケース本体５内に収容する。この時、湯たんぽ３は位置決め部材１７，１７によって両側部を保持される（図２の(a) 参照）。こうしてケース本体５内に湯たんぽ３を収容し、蓋体６を閉じてロック片８でロックした後、この湯たんぽ収容ケース２を袋状カバー４で被包する。
【００２３】
袋状カバー４で湯たんぽ収容ケース２を被包する時は、蓋体カバー部１０を開放した袋状カバー４の本体カバー部９に湯たんぽ収容ケース２を押し込んで図４に示すような状態とした後、蓋体カバー部１０を被せてスライドファスナー１１で本体カバー部９と接合すればよい。
【００２４】
こうして湯たんぽ３を収容した湯たんぽ収容ケース２を袋状カバー４で被包し、この袋状カバー４の蓋体カバー部１０の上に、図１に示すように犬Ｐを座らせることによって、犬Ｐは湯たんぽ３の熱で暖をとることができる。
【００２５】
このペット用暖房器１によれば、熱源が湯たんぽ３であって、この湯たんぽ３は湯たんぽ収容ケース２の中に収容し、しかも収容ケース２を袋状カバー４で被包しているから、犬Ｐが直接湯たんぽ３に触れたり、湯たんぽ３の口を開けるようなおそれがなく、また石油ストーブやガスストーブや電気ストーブのように火災を起こすおそれも全くなく、使用上きわめて安全となり、従って飼主が犬Ｐを家の中に置きっ放しにしたまま外出しても、何の心配もなく、犬Ｐに暖をとらせることができる。また熱源が湯たんぽ３であるため、石油ストーブ、ガスストーブ、電気ストーブなどのように維持コストがかからず、きわめて経済的で実用的な暖房器と言える。
【００２６】
また、このペット用暖房器１は、湯たんぽ収容ケース２を袋状カバー４で被包し、その上に犬Ｐを座らせるようにするため、犬Ｐも座り易くなり、またその座り心地も良い上、外観の体裁も良く、保管も容易となる。
【００２７】
また、湯たんぽ収容ケース２は、上面側が開口するように金属線材で形成されたケース本体５と、金属線材で形成され、ケース本体５の上面側開口部を開閉するようにケース本体５に枢着された蓋体６とからなるため、軽量で持ち運びに便利で、製作コストも安くい上に、湯たんぽ３の出し入れが容易となり、開閉操作も容易となる。
【００２８】
また、袋状カバー４は、ケース本体５の外周面側及び底面側を被う本体カバー部９と、ケース本体５を閉蓋する蓋体６を被う蓋体カバー部１０とからなるもので、本体カバー部９と蓋体カバー部１０とは、スライドファスナー１１により開閉自在に接合されるようになっているから、袋状カバー４の開閉操作が簡単で、湯たんぽ収容ケース２からの湯たんぽ３の出し入れ作業が容易となる。また、湯たんぽ３の出し入れを行う際には、図４に示すように、本体カバー部９は湯たんぽ収容ケース２のケース本体５から外さず、ケース本体５を被包したままにしておき、蓋体カバー部１０を蓋体６から離脱させるだけでよいから、湯たんぽ３の出し入れ作業が一層容易となる。
【００２９】
また、袋状カバー４の蓋体カバー部１０には裏側に消臭シート材１５が取り外し自在に取り付けられているから、この消臭シート材１５によって、蓋体カバー部１０についた悪臭を吸収除去することができ、また必要に応じて消臭シート材１５を新しいものと交換することができる。
【図面の簡単な説明】
【００３０】
【図１】本考案に係るペット用暖房器の使用状態を示す外観斜視図である。
【図２】(a) は暖房器の湯たんぽ収容ケースを示す斜視図、(b) は湯たんぽ３の外観斜視図である。
【図３】袋状カバーを示す斜視図である。
【図４】袋状カバーの蓋体カバー部を開放した状態での暖房器全体の外観斜視図である。
【図５】(a) はペット用暖房器の横断面図、(b) は収容ケースの部分側面図、(c) は(a) のＸ−Ｘ線断面図、(d) は閉じた蓋体の枢着部分の横断面図である。
【符号の説明】
【００３１】
１            ペット用暖房器
２            湯たんぽ収容ケース
３            湯たんぽ
４            袋状カバー
５            湯たんぽ収容ケースのケース本体
６            湯たんぽ収容ケースの蓋体
９            袋状カバーの本体カバー部
１０          袋状カバーの蓋体カバー部
１５          消臭シート材
【図１】
0003105551.tif 000003
【図２】
0003105551.tif 000004
【図３】
0003105551.tif 000005
【図４】
0003105551.tif 000006
【図５】
0003105551.tif 000007